(57)【特許請求の範囲】
【請求項１】
供給される画像データに基づく画像に所定の画像処理を施す画像処理手段と、
上記画像処理手段によって上記画像処理が施された後の上記画像を表示する表示手段と、
上記画像処理手段による上記画像処理の度合いを所望状態に入力設定するための第１の入力設定手段と、
上記表示手段に表示された上記画像を更新するために必要な上記画像処理の度合いの変化量を入力設定するための第２の入力設定手段と
を具え、
上記画像処理手段は、
上記第１の入力設定手段を介して入力設定された上記画像処理の度合いの変化量が、上記第２の入力設定手段を介して入力設定された上記画像を更新するために必要な上記画像処理の度合いの変化量以上になったときのみ、新たに上記第１の入力設定手段を介して入力設定された上記度合いで上記画像データを上記画像処理する
ことを特徴とする画像表示装置。
【請求項２】
上記第１の入力設定手段は、
上記画像処理の度合いを操作回数に応じて入力設定する第１の操作子を有し、
上記第２の入力設定手段は、
上記表示手段に表示された上記画像を更新するために必要な上記画像処理の度合いの変化量を操作回数に応じて入力設定する第２の操作子を有し、
上記画像処理手段は、
上記第１の操作子の操作回数をカウントし、カウントした数が上記第２の操作子の操作回数以上になったときのみ、新たに上記第１の入力設定手段を介して入力設定された上記度合いで上記画像データを上記画像処理し、カウントした数を０にリセットする
ことを特徴とする請求項１に記載の画像表示装置。
【請求項３】
供給される画像データに基づく画像に所定の画像処理を施した後、当該画像処理が施された後の上記画像を表示する第１のステップと、
上記表示された上記画像を更新するために必要な上記画像処理の度合いの変化量を入力設定する第２のステップと、
上記画像処理の度合いを所望状態に入力設定しながら、当該画像処理の度合いの変化量が上記第２のステップで入力設定された上記画像を更新するために必要な上記画像処理の度合いの変化量以上になったときのみ、新たに上記所望状態に入力設定された上記度合いで上記画像データを上記画像処理する第３のステップと
を具えることを特徴とする画像表示方法。
【請求項４】
上記第２のステップでは、
上記表示された上記画像を更新するために必要な上記画像処理の度合いの変化量を操作回数に応じて入力設定し、
上記第３のステップでは、
上記画像処理の度合いを操作回数に応じて上記所望状態に入力設定しながら、当該操作回数をカウントし、カウントした数が上記第２のステップでの操作回数以上になったときのみ、新たに入力設定された上記度合いで上記画像データを画像処理し、カウントした数を０にリセットする
ことを特徴とする請求項３に記載の画像表示方法。
【発明の詳細な説明】
【０００１】
【発明の属する技術分野】
本発明は画像表示装置及び画像表示方法に関し、例えば入力された印画データに基づくカラー画像を印画媒体に印画するプリント装置に適用して好適なものである。
【０００２】
【従来の技術】
従来、この種のプリント装置においては、オペレータの操作に基づいてパーソナルコンピュータから供給される印画データに所定の信号処理を施すことにより、当該印画データに基づくカラー画像に対して色調整や明度調整等の画像調整処理を行い得るようになされている。
【０００３】
このプリンタ装置では、パーソナルコンピュータに接続されたモニタに所定の印画処理手順を表す画面を表示すると共に、ユーザが当該印画処理手順に従って印画内容の設定を行う際に、必要に応じて画像データに基づく各画像を表示するようになされている。
【０００４】
【発明が解決しようとする課題】
ところで、このプリンタ装置では、モニタに画像データに基づく各画像を表示する場合、通常、パーソナルコンピュータによる画像調整処理の結果は常にモニタに反映されるようになされている。
【０００５】
このためユーザがモニタに表示された画像調整処理後の画像を目視しながら、当該画像調整処理前の画像との相違点を認識できなければ、画像調整処理後の画像を敢えてモニタに反映させる必要はなく、モニタ上で画像調整処理後の画像データに基づく画像を作成するための所要時間分がそのままユーザの待ち時間となり、この結果ユーザにとって作業効率が悪くなるおそれがあった。
【０００６】
特に画像データの画素数が相当多い場合にはその傾向は顕著であり、単に画像調整処理を行った旨をユーザに認知させるのであれば、モニタに画像調整処理の結果を逐一表示する必要はないものと考えられる。
【０００７】
本発明は以上の点を考慮してなされたもので、作業効率を格段と向上し得る画像表示装置及び画像表示方法を提案しようとするものである。
【０００８】
【課題を解決するための手段】
かかる課題を解決するため本発明においては、供給される画像データに基づく画像に所定の画像処理を施す画像処理手段と、画像処理手段によって画像処理が施された後の画像を表示する表示手段と、画像処理手段による画像処理の度合いを所望状態に入力設定するための第１の入力設定手段と、表示手段に表示された画像を更新するために必要な画像処理の度合いの変化量を入力設定するための第２の入力設定手段とを設け、画像処理手段は、第１の入力設定手段を介して入力設定された画像処理の度合いの変化量が、第２の入力設定手段を介して入力設定された画像を更新するために必要な画像処理の度合いの変化量以上になったときのみ、新たに第１の入力設定手段を介して入力設定された度合いで画像データを上記画像処理するようにした。
【０００９】
この結果、この画像表示装置では、第１の入力設定手段を介して入力設定された画像処理の度合いの変化量が、第２の入力設定手段を介して入力設定された画像を更新するために必要な画像処理の度合いの変化量以上になったときのみ、表示手段に表示されていた画像が、新たに第１の入力設定手段を介して入力設定された度合いで画像処理されて表示される。
【００１０】
従って、第１の入力設定手段を介して画像処理の度合いが所望状態に入力設定されたとき、当該入力設定された画像処理の度合いの変化量が第２の入力設定手段を介して入力設定された画像を更新するために必要な画像処理の度合いの変化量未満である場合には、画像処理手段は、画像処理を施した後の画像を更新して表示しないようにしたことにより、かかる画像処理が施された後の画像と当該画像処理が施される前の画像との視覚的な相違点がほとんどない場合まで更新する無駄を省いて、当該画像処理に要する時間分だけユーザが待つことなくそのまま次の作業に移行することができる。
【００１１】
また本発明においては、供給される画像データに基づく画像に所定の画像処理を施した後、当該画像処理が施された後の画像を表示する第１のステップと、表示された画像を更新するために必要な画像処理の度合いの変化量を入力設定する第２のステップと、画像処理の度合いを所望状態に入力設定しながら、当該画像処理の度合いの変化量が第２のステップで入力設定された画像を更新するために必要な画像処理の度合いの変化量以上になったときのみ、新たに所望状態に入力設定された度合いで上記画像データを画像処理する第３のステップとを設けるようにした。
【００１２】
この結果、この画像表示方法では、所望状態に入力設定された画像処理の度合いの変化量が、表示された画像を更新するために必要な画像処理の度合いの変化量以上になったときのみ、表示手されていた画像が、新たに所望状態に入力設定された度合いで画像処理されて表示される。
【００１３】
従って、画像処理の度合いが所望状態に入力設定されたとき、当該入力設定された画像処理の度合いの変化量が、画像を更新するために必要な画像処理の度合いの変化量未満である場合には、画像処理を施した後の画像を更新して表示しないようにしたことにより、かかる画像処理が施された後の画像と当該画像処理が施される前の画像との視覚的な相違点がほとんどない場合まで更新する無駄を省いて、当該画像処理に要する時間分だけユーザが待つことなくそのまま次の作業に移行することができる。
【００１４】
【発明の実施の形態】
以下図面について、本発明の一実施の形態を詳述する。
【００１５】
（１）本実施の形態によるプリントシステムの構成
図１において、１は全体として本発明を適用したプリントシステムを示し、パーソナルコンピュータ２がユーザの操作に応じた所定状態にプリンタ３を制御し得るようになされている。
【００１６】
パーソナルコンピュータ２は、いわゆるＧＵＩ（Graphical User Interface）表示可能な表示部４がバス５を介してＣＰＵ６と接続されており、ユーザが入力部７（マウスやキーボート等）を介してＣＰＵ６に各種コマンドを与え得るようになされている。
【００１７】
ＣＰＵ６にはバス５を介してメディア挿入部８が接続され、ユーザが用意した記録メディア（例えばフロッピーディスク、ＰＣ（Personal Computer ）カード、光磁気ディスクなど）が当該メディア挿入部８に挿入されると共に入力部７を介してユーザからコマンドが与えられると、ＣＰＵ６は、ＲＡＭ９に記憶されているワーキングプログラムを読み出すことにより動作処理を開始し、当該コマンドに応じた印画内容及び印画手順を表す画像データをＲＯＭ１０から読み出してバス５及びインタフェース１１を順次介して表示部４に表示し得るようになされている。
【００１８】
このときＣＰＵ６は、メディア挿入部８に内蔵されているドライバ（図示せず）を駆動制御して記録メディアを再生させ、当該記録メディアに基づく画像データＤ１をバス５を介して表示部４に表示すると共に必要に応じてハードディスク装置１２内のハードディスクに記録し得るようになされている。
【００１９】
ＣＰＵ６は、入力部７を介してユーザからコマンドが与えられると、プリンタ３を制御して印画動作を開始させるようにして、ユーザが設定した印画内容に応じて画像データＤ１に対して各種の画像処理を施して得られる印画データＤ２を印画媒体に印画するようになされている。
【００２０】
さらにＣＰＵ６にはバス５を介してネットワークボード１３が接続され、ユーザが設定した印画内容に応じた印画データを当該ネットワークボート１３に接続された電話回線又は通信回線（共に図示せず）を介して種々の機器に伝送し得るようになされている。
【００２１】
実際に表示部４には、画像調整モード時、ＣＰＵ６の制御の下で、ＲＯＭ１０から読み出された画像データＤ１に基づく画像処理設定画面Ｐ１が表示される。この画像処理設定画面Ｐ１の画面中央には、記録メディアから読み出された画像データＤ１に基づく画像を表示するためのプレビュー画面Ｐ１Ａが表示されている。
【００２２】
このプレビュー画面Ｐ１Ａの隣り合う所定位置には、各種の画像調整項目として、画像の拡大又は縮小を行うための「拡大ボタン」Ｂ１及び「縮小ボタン」Ｂ２と、画像の明るさの調整を行うための「明るさ（＋）ボタン」Ｂ３及び「明るさ（−）ボタン」Ｂ４と、画像の鮮やかさの調整を行うための「鮮やかさ（＋）ボタン」Ｂ５及び「鮮やかさ（−）ボタン」Ｂ６がＧＵＩ表示されている。
【００２３】
このプレビュー画面Ｐ１Ａの下側には、プレビュー画面Ｐ１Ａに表示された画像を記録メディアに保存するための「保存ボタン」Ｂ７と、当該プレビュー画面Ｐ１Ａに表示された画像をプリンタにおいて印画させるための「プリントボタン」Ｂ８と、当該プレビュー画面Ｐ１Ａに表示された画像に対して各種の画像調整項目のステップ値（すなわちプレビュー画面Ｐ１Ａを更新するために必要なパラメータ値の変化量）を設定するための「設定ボタン」Ｂ９がＧＵＩ表示されている。
【００２４】
この場合、各画像調整項目のステップ値としては、実際に各画像調整項目に基づく画像処理を実行した後の画像がプレビュー画面Ｐ１Ａに表示されたとき、ユーザが当該プレビュー画面Ｐ１Ａを目視しながら画像処理の前後でほとんど画像に相違点を見い出すことができない程度の値が設定される。
【００２５】
ユーザが入力部を用いて「設定ボタン」Ｂ９をクリックすると、表示部４には、画像処理設定画面Ｐ１に代えて図３に示すようなステップ値設定画面Ｐ２が表示される。このステップ値設定画面Ｐ２は、各画像調整項目についてそれぞれステップ値をユーザが所望する値に設定し得るようになされている。
【００２６】
このステップ値設定画面Ｐ２では、各画像調整項目に対応する調整用画面Ｐ２Ａ〜Ｐ２Ｆが表示され、当該各調整用画面Ｐ２Ａ〜Ｐ２Ｆに隣接する所定位置にはそれぞれアップダウンキーＫＡ〜ＫＦがＧＵＩ表示されている。
【００２７】
ユーザは入力部４を用いて、各画像調整項目ごとにそれぞれアップダウンキーＫＡ〜ＫＦをアップ側又はダウン側に１クリックずつ所望回数だけ操作することにより、対応する画像調整項目について当該操作されたクリック数がそのままステップ値に加算又は減算され、当該加算結果又は減算結果が対応する調整用画面Ｐ２Ａ〜Ｐ２Ｆ上に数値表示される。
【００２８】
この場合、各画像調整項目について、対応する調整用画面Ｐ２Ａ〜Ｐ２Ｆに隣接するアップダウンキーが１クリックされるごとに変化するパラメータ値は、それぞれ予め所定の割合となるように設定されている。
【００２９】
またステップ値設定画面Ｐ２の右上所定位置には、「ＯＫキー」ＫＸ及び「キャンセル（Cancel）キー」ＫＹがＧＵＩ表示され、ユーザの操作に応じて調整用画面Ｐ２Ａ〜Ｐ２Ｆに設定表示された各画像調整項目のステップ値を確定又はキャンセルし得るようになされている。
【００３０】
（２）ステップ値設定処理手順ＲＴ１
実際上このプリントシステム１において、表示部４に画像処理設定画面Ｐ１（図２）が表示された状態において、ユーザの操作に応じて「設定ボタン」Ｂ９が操作されると、パーソナルコンピュータ２内のＣＰＵ６は、ステップＳＰ０から図４及び図５に示すステップ値設定処理手順ＲＴ１に入り、続くステップＳＰ１において、表示部にステップ値設定画面Ｐ２（図３）を表示する。
【００３１】
続いてＣＰＵ６は、ステップＳＰ２に進んで、ステップ値設定画面Ｐ２に表示された複数の画像調整項目にそれぞれ対応する調整用画面Ｐ２Ａ〜Ｐ２Ｆについて、所望の画像調整項目に応じた調整用画面Ｐ２Ａ〜Ｐ２Ｆに隣接するアップダウンキーＫＡ〜ＫＦ、ＯＫキーＫＸ又はキャンセルキーＫＹのうちいずれかのキーが操作されたか否かを判断し、肯定結果が得られた場合のみステップＳＰ３〜ＳＰ９に進む。
【００３２】
このステップＳＰ２において「拡大」についての画像調整項目に対応するアップダウンキーＫＡが操作された場合、ＣＰＵ６は、ステップＳＰ３に進んで、「拡大」のステップ値を１だけ加算した後、再度ステップＳＰ２に戻る。
【００３３】
またステップＳＰ２において「縮小」についての画像調整項目に対応するアップダウンキーＫＢが操作された場合、ＣＰＵ６は、ステップＳＰ４に進んで、現在値が１より大きいか否か判断した後、肯定結果が得られたときのみステップＳＰ１０に進んで「縮小」のステップ値を１だけ減算した後、再度ステップＳＰ２に戻る。一方ステップＳＰ４で否定結果が得られたとき、ＣＰＵ６は、これ以上減算できないと判断してそのまま再度ステップＳＰ２に戻る。
【００３４】
さらにステップＳＰ２において「明るさ（＋）」についての画像調整項目に対応するアップダウンキーＫＣが操作された場合、ＣＰＵ６は、ステップＳＰ５に進んで、「明るさ（＋）」のステップ値を１だけ加算した後、再度ステップＳＰ２に戻る。
【００３５】
さらにステップＳＰ２において「明るさ（−）」についての画像調整項目に対応するアップダウンキーＫＤが操作された場合、ＣＰＵ６は、ステップＳＰ６に進んで、現在値が１より大きいか否かを判断した後、肯定結果が得られたときのみステップＳＰ１１に進んで「明るさ（−）」のステップ値を１だけ減算した後、再度ステップＳＰ２に戻る。一方ステップＳＰ６で否定結果が得られたとき、ＣＰＵ６は、これ以上減算できないと判断してそのまま再度ステップＳＰ２に戻る。
【００３６】
さらにステップＳＰ２において「鮮やかさ（＋）」についての画像調整項目に対応するアップダウンキーＫＥが操作された場合、ＣＰＵ６は、ステップＳＰ７に進んで、「鮮やかさ（＋）」のステップ値を１だけ加算した後、再度ステップＳＰ２に戻る。
【００３７】
さらにステップＳＰ２において「鮮やかさ（−）」についての画像調整項目に対応するアップダウンキーＫＦが操作された場合、ＣＰＵ６は、ステップＳＰ８に進んで、現在値が１より大きいか否かを判断した後、肯定結果が得られたときのみステップＳＰ１２に進んで「鮮やかさ（−）」のステップ値を１だけ減算した後、再度ステップＳＰ２に戻る。一方ステップＳＰ８で否定結果が得られたとき、ＣＰＵ６は、これ以上減算できないと判断してそのまま再度ステップＳＰ２に戻る。
【００３８】
さらにステップＳＰ２において、ＣＰＵ６は、各画像調整項目に対応するアップダウンキー以外のキーが操作されたと判断した場合、ステップＳＰ９に進んで、操作されたキーが「ＯＫキー」ＫＸであるか否かを判断する。
【００３９】
このステップＳＰ９において肯定結果を得ると、ＣＰＵ６は、「ＯＫキー」ＫＸに応じて調整用画面Ｐ２Ａ〜Ｐ２Ｆに設定表示された各画像調整項目のステップ値を確定した後、ステップＳＰ１４に進んでそのまま当該ステップ値設定処理手順ＲＴ１を終了する。
【００４０】
これに対してステップＳＰ９において否定結果を得ると、ＣＰＵ６は、「キャンセルキー」ＫＹに応じて調整用画面Ｐ２Ａ〜Ｐ２Ｆに設定表示された各画像調整項目のステップ値をキャンセルして元のステップ値を維持しながらステップＳＰ１４に進んで当該ステップ値設定処理手順ＲＴ１を終了する。
【００４１】
（３）画像処理設定処理手順ＲＴ２
さらにこのプリントシステム１において、表示部４に表示されたステップ値設定処理画面Ｐ２を用いてユーザが各画像調整項目のステップ値を設定した後、ユーザの操作に応じて表示部４に画像処理設定画面Ｐ１（図２）を表示したとき、パーソナルコンピュータ２内のＣＰＵ６は、ステップＳＰ２０から図６に示す画像処理設定処理手順ＲＴ２に入り、続くステップＳＰ２１において、各画像調整項目について初期状態（すなわち「拡大ボタン」Ｂ１、「縮小ボタン」Ｂ２、「明るさ（＋）ボタン」Ｂ３、「明るさ（−）ボタン」Ｂ４、「鮮やかさ（＋）ボタン」Ｂ５及び「鮮やかさ（−）ボタン」Ｂ６のクリック回数が全て０の状態）にリセットする。
【００４２】
続いてＣＰＵ６は、ステップＳＰ２２に進んで、記録メディアに記録されている画像データＤ１に基づく画像のうち指定された画像を抽出して画像処理設定画面Ｐ１のプレビュー画面Ｐ１Ａに表示した後、ステップＳＰ２３に進む。
【００４３】
このステップＳＰ２３において、ＣＰＵ６は、画像処理設定画面Ｐ１に表示された複数の画像調整項目に対応するボタンＢ１〜Ｂ９のうちいずれかのボタンが操作されたか否かを判断し、肯定結果が得られた場合のみサブルーチンＲＴ１、ＲＴ３〜ＲＴ８又はステップＳＰ２４、ＳＰ２５に進む。
【００４４】
このステップＳＰ２３において、「拡大ボタン」Ｂ１が操作された場合、ＣＰＵ６は、図７に示すサブルーチンＲＴ３に進んで、ステップＳＰ３０において「拡大ボタン」Ｂ１のクリック数を１だけインクリメントした後、ステップＳＰ３１に進んで、クリック回数が「拡大」のステップ値以上であるか否かを判断する。
【００４５】
このステップＳＰ３１において肯定結果が得られると、ＣＰＵ６は、ステップＳＰ３２に進んで、プレビュー画面Ｐ１Ａに表示されている画像を、クリック数だけ変化したパラメータ値に基づいて拡大の画像処理を実行する。
【００４６】
続いてＣＰＵ６は、ステップＳＰ３３において、拡大された画像をプレビュー画面Ｐ１Ａに更新して表示させた後、ステップＳＰ３４に進んで「拡大ボタン」Ｂ１のクリック回数を０にリセットした後、再度ステップＳＰ２３（図６）に戻る。
【００４７】
一方ステップＳＰ３１において否定結果を得ると、ＣＰＵ６は、そのまま再度ステップＳＰ２３（図６）に戻る。
【００４８】
このステップＳＰ２３において、「縮小ボタン」Ｂ２が操作された場合、ＣＰＵ６は、図８に示すサブルーチンＲＴ４に進んで、ステップＳＰ４０において「縮小ボタン」Ｂ２のクリック数を１だけインクリメントした後、ステップＳＰ４１に進んで、クリック数が「縮小」のステップ値以上であるか否かを判断する。
【００４９】
このステップＳＰ４１において肯定結果が得られると、ＣＰＵ６は、ステップＳＰ４２に進んで、プレビュー画面Ｐ１Ａに表示されている画像を、クリック数だけ変化したパラメータ値に基づいて縮小の画像処理を実行する。
【００５０】
続いてＣＰＵ６は、ステップＳＰ４３において、縮小された画像をプレビュー画面Ｐ１Ａに更新して表示させた後、ステップＳＰ４４に進んで「縮小ボタン」Ｂ２のクリック回数を０にリセットした後、再度ステップＳＰ２３（図６）に戻る。
【００５１】
一方ステップＳＰ４１において否定結果を得ると、ＣＰＵ６は、そのまま再度ステップＳＰ２３（図６）に戻る。
【００５２】
このステップＳＰ２３において、「明るさ（＋）ボタン」Ｂ３が操作された場合、ＣＰＵ６は、図９に示すサブルーチンＲＴ５に進んで、ステップＳＰ５０において「明るさ（＋）ボタン」Ｂ３のクリック数を１だけインクリメントした後、ステップＳＰ５１に進んで、クリック数が「明るさ（＋）」のステップ値以上であるか否かを判断する。
【００５３】
このステップＳＰ５１において肯定結果が得られると、ＣＰＵ６は、ステップＳＰ５２に進んで、プレビュー画面Ｐ１Ａに表示されている画像を、クリック数だけ変化したパラメータ値に基づいて明るさを増加させる画像処理を実行する。
【００５４】
続いてＣＰＵ６は、ステップＳＰ５３において、明るさが増加された画像をプレビュー画面Ｐ１Ａに更新して表示させた後、ステップＳＰ５４に進んで「明るさ（＋）ボタン」Ｂ３のクリック回数を０にリセットした後、再度ステップＳＰ２３（図６）に戻る。
【００５５】
一方ステップＳＰ５１において否定結果を得ると、ＣＰＵ６は、そのまま再度ステップＳＰ２３（図６）に戻る。
【００５６】
このステップＳＰ２３において、「明るさ（−）ボタン」Ｂ４が操作された場合、ＣＰＵ６は、図１０に示すサブルーチンＲＴ６に進んで、ステップＳＰ６０において「明るさ（−）ボタン」Ｂ４のクリック数を１だけインクリメントした後、ステップＳＰ６１に進んで、クリック数が「明るさ（−）」のステップ値以上であるか否かを判断する。
【００５７】
このステップＳＰ６１において肯定結果が得られると、ＣＰＵ６は、ステップＳＰ６２に進んで、プレビュー画面Ｐ１Ａに表示されている画像を、クリック数だけ変化したパラメータ値に基づいて明るさを減少させる画像処理を実行する。
【００５８】
続いてＣＰＵ６は、ステップＳＰ６３において、明るさが減少された画像をプレビュー画面Ｐ１Ａに更新して表示させた後、ステップＳＰ６４に進んで「明るさ（−）ボタン」Ｂ４のクリック回数を０にリセットした後、再度ステップＳＰ２３（図６）に戻る。
【００５９】
一方ステップＳＰ６１において否定結果を得ると、ＣＰＵ６は、そのまま再度ステップＳＰ２３（図６）に戻る。
【００６０】
このステップＳＰ２３において、「鮮やかさ（＋）ボタン」Ｂ５が操作された場合、ＣＰＵ６は、図１１に示すサブルーチンＲＴ７に進んで、ステップＳＰ７０において「鮮やかさ（＋）ボタン」Ｂ５のクリック数を１だけインクリメントした後、ステップＳＰ７１に進んで、クリック数が「鮮やかさ（＋）」のステップ値以上であるか否かを判断する。
【００６１】
このステップＳＰ７１において肯定結果が得られると、ＣＰＵ６は、ステップＳＰ７２に進んで、プレビュー画面Ｐ１Ａに表示されている画像を、クリック数だけ変化したパラメータ値に基づいて鮮やかさを増加させる画像処理を実行する。
【００６２】
続いてＣＰＵ６は、ステップＳＰ７３において、鮮やかさが増加された画像をプレビュー画面Ｐ１Ａに更新して表示させた後、ステップＳＰ７４に進んで「鮮やかさ（＋）ボタン」Ｂ５のクリック回数を０にリセットした後、再度ステップＳＰ２３（図６）に戻る。
【００６３】
一方ステップＳＰ７１において否定結果を得ると、ＣＰＵ６は、そのまま再度ステップＳＰ２３（図６）に戻る。
【００６４】
このステップＳＰ２３において、「鮮やかさ（−）ボタン」Ｂ６が操作された場合、ＣＰＵ６は、図１２に示すサブルーチンＲＴ８に進んで、ステップＳＰ８０において「鮮やかさ（−）ボタン」Ｂ６のクリック数を１だけインクリメントした後、ステップＳＰ８１に進んで、クリック数が「鮮やかさ（−）」のステップ値以上であるか否かを判断する。
【００６５】
このステップＳＰ８１において肯定結果が得られると、ＣＰＵ６は、ステップＳＰ８２に進んで、プレビュー画面Ｐ１Ａに表示されている画像を、クリック数だけ変化したパラメータ値に基づいて鮮やかさを減少させる画像処理を実行する。
【００６６】
続いてＣＰＵ６は、ステップＳＰ８３において、鮮やかさが減少された画像をプレビュー画面Ｐ１Ａに更新して表示させた後、ステップＳＰ８４に進んで「鮮やかさ（−）ボタン」Ｂ６のクリック回数を０にリセットした後、再度ステップＳＰ２３（図６）に戻る。
【００６７】
一方ステップＳＰ８１において否定結果を得ると、ＣＰＵ６は、そのまま再度ステップＳＰ２３（図６）に戻る。
【００６８】
このステップＳＰ２３において、「設定ボタン」Ｂ９が操作された場合、図４及び図５に示すステップ値設定処理手順ＲＴ１に進んで、上述と同様に処理を実行した後、各画像調整項目についてステップ値を新たに設定し直した後、再度ステップＳＰ２３（図６）に戻る。
【００６９】
このステップＳＰ２３において、「プリントボタン」Ｂ８が操作された場合、ＣＰＵ６は、ステップＳＰ２４に進んで、ユーザがクリックしたボタンに対応する全ての画像調整項目についてクリック回数に応じたパラメータ値に基づいてそれぞれ画像調整項目ごとに画像処理を実行した後、続くステップＳＰ２５においてプリンタ３で印画媒体に印画させる。やがてＣＰＵ６は、ステップＳＰ２８に進んで当該画像処理設定処理手順ＲＴ２を終了する。
【００７０】
このステップＳＰ２３において、「保存ボタン」Ｂ７が操作された場合、ＣＰＵ６は、ステップＳＰ２５に進んで、ユーザがクリックしたボタンに対応する全ての画像調整項目についてクリック回数に応じたパラメータ値に基づいてそれぞれ画像調整項目ごとに画像処理を実行した後、続くステップＳＰ２７において当該画像の画像データを記録メディア又はハードディスクに記録して保存させる。やがてＣＰＵ６は、ステップＳＰ２８に進んで当該画像処理設定処理手順ＲＴ２を終了する。
【００７１】
（４）本実施の形態による動作及び効果
以上の構成において、このプリントシステム１では、画像調整モード時、パーソナルコンピュータ２内の表示部４において、ステップ値設定画面Ｐ２を表示しておき、当該ステップ値設定画面Ｐ２に表示されている複数の調整用画面Ｐ２Ａ〜Ｐ２Ｆの中からユーザが所望する画像調整項目に応じた調整用画面Ｐ２Ａ〜Ｐ２Ｆと隣接するアップダウンキーＫＡ〜ＫＦが操作されると、当該画像調整項目のステップ値が操作回数に応じた所望の値に調整される。
【００７２】
この後、表示部４に画像処理設定画面Ｐ１を表示しておき、当該画像処理設定画面Ｐ１に表示されているプレビュー画面Ｐ１Ａに、記録メディアから読み出した画像データＤ１に基づく画像を表示する。
【００７３】
ユーザはプレビュー画面Ｐ１Ａに表示されている画像を目視しながら、複数の画像調整用のボタンＢ１〜Ｂ６の中から選択した所望の画像調整項目に対応するボタンを、その調整の度合いに応じた回数分だけクリックする。このときの選択された画像調整項目に対応するボタンＢ１〜Ｂ６のクリック回数が、ステップ値設定画面Ｐ２において既に設定された画像調整項目のステップ値以上であるか否かを判断する。
【００７４】
この判断結果が肯定的である場合のみ、プレビュー画面Ｐ１Ａに表示されている画像に対して、クリック回数に応じたパラメータ値に基づく画像調整項目の画像処理を実行した後、当該画像処理された画像をプレビュー画面Ｐ１Ａに更新して表示する。これに対して判断結果が否定的である場合には、プレビュー画面Ｐ１Ａに表示されている画像は更新されることなく元の状態のままとなる。
【００７５】
このようにしてユーザが全ての画像調整項目について、所望する調整の度合いに応じた回数分だけ対応する画像調整用のボタンＢ１〜Ｂ６をクリックした後、当該画像調整後の画像をプリンタ３において印画媒体に印画する際には、プレビュー画面Ｐ１Ａに表示された画像に関係なく、実際にユーザがクリックしたボタンＢ１〜Ｂ６に対応する全ての画像調整項目についてクリック回数に応じたパラメータ値に基づいてそれぞれ画画像処理が実行された画像が印画媒体に印画される。
【００７６】
かくして表示部４において、各画像調整項目に基づく画像処理を実行した後の画像をプレビュー画面Ｐ１Ａに表示したとき、ユーザが当該プレビュー画面Ｐ１Ａを目視しながら画像処理の前後でほとんど画像に相違点を見い出すことができない程度の画像であれば、敢えてプレビュー画面Ｐ１Ａに更新して表示しないため、各画像調整項目に基づく画像処理に要する時間分だけユーザが待つことなく、そのままプリンタ３におけるプリント動作に移行することができる。
【００７７】
以上の構成によれば、このプリントシステム１において、各画像調整項目ごとにそれぞれ所望のステップ値を設定しておき、画像データＤ１に基づく画像をプレビュー画面Ｐ１Ａに表示した状態で、所望の画像調整項目に応じた画像調整用のボタンＢ１〜Ｂ６がクリックされたとき、当該クリック回数がステップ値以上であるか否かを判断して、肯定結果が得られたときのみ当該画像調整項目についてクリック回数に応じたパラメータ値に基づく画像処理を実行し、当該画像処理後の画像をプレビュー画面Ｐ１Ａに更新して表示するようにしたことにより、各画像調整項目に基づく画像処理の結果を常にプレビュー画面Ｐ１Ａに反映させて画像表示する場合と比較して当該画像処理に要する時間分だけ待ち時間を短縮して続く印画処理に移行することができ、かくして作業効率を格段と向上し得るプリントシステム１を実現できる。
【００７８】
（５）他の実施の形態
なお上述の実施の形態においては、記録メディアから得られる画像データＤ１に基づく画像を表示する表示手段として、パーソナルコンピュータ２内の表示部４を適用した場合について述べたが、本発明はこれに限らず、要は、画像処理が施された後の画像を表示することができれば、この他種々の表示手段に広く適用することができる。
【００７９】
また上述の実施の形態においては、画像データに基づく画像を表示部（表示手段）４に表示した状態で、各画像調整項目のうち指定された画像調整項目の度合いを所望状態に入力設定するための第１の入力設定手段を、表示部４に表示された画像処理設定画面Ｐ１のうち画像調整用のボタン（第１の操作子）Ｂ１〜Ｂ６と入力部７とから構成し、当該画像調整項目の画像処理の度合いをボタンＢ１〜Ｂ６の操作回数に応じて調整するようにした場合について述べたが、本発明はこれに限らず、要は、各画像調整項目ごとに、それぞれ画像処理の度合いを所望状態に入力設定することができれば、第１の入力設定手段としてはこの他種々の構成のものを適用することができる。
【００８０】
さらに上述の実施の形態においては、各画像調整項目ごとに表示部（表示手段）４に表示された画像を更新する画像処理の度合いを入力設定するための第２の入力設定手段を、表示部４に表示されたステップ値設定画面Ｐ２のうち各画像調整項目に応じた調整用画面Ｐ２Ａ〜Ｐ２Ｆと当該調整用画面Ｐ２Ａ〜Ｐ２Ｆと隣接するアップダウンキー（第２の操作子）ＫＡ〜ＫＦと入力部７とから構成し、当該画像調整項目のステップ値をアップダウンキーＫＡ〜ＫＦの操作回数に応じた所望の値に入力設定するようにした場合について述べたが、本発明はこれに限らず、要は、各画像調整項目ごとに、表示部（表示手段）４に表示された画像を更新するための画像処理の度合いを入力設定することができれば、第２の入力設定手段としてはこの他種々の構成のものを適用することができる。
【００８１】
さらに上述の実施の形態においては、画像処理手段としてのパーソナルコンピュータ２内のＣＰＵ６が、画像処理設定画面（レベル調整手段）Ｐ１によって調整された画像調整用のボタン（第１の操作子）Ｂ１〜Ｂ６の操作回数が、ステップ値設定画面（条件設定手段）Ｐ２によって設定されたアップダウンキー（第２の操作子）ＫＡ〜ＫＦの操作回数以上になったとき、新たに第１の入力設定手段（画像処理設定画面Ｐ１及び入力部７）を介して入力設定された度合いで画像データＤ１を画像処理するようにした場合について述べたが、本発明はこれに限らず、要は、画像処理設定画面（レベル調整手段）Ｐ１によって設定された画像処理の度合いが、ステップ値設定画面（条件設定手段）Ｐ２によって設定された画像処理の度合い以上である場合のみ、表示部（表示手段）４に表示された画像に対して、対応する画像処理を施した後、当該画像を表示部（表示手段）４に更新して表示することができれば、画像処理手段としてはこの他種々の構成のものを広く適用することができる。
【００８２】
さらに上述の実施の形態においては、本発明による画像表示装置をプリントシステム１に適用するようにした場合について述べたが、本発明はこれに限らず、要は、画像データに基づく画像を表示させると共に、必要に応じて各種の画像処理を施すことがてきれば、プリントシステム以外にも種々の画像表示装置に広く適用するようにしても良い。
【００８３】
さらに上述の実施の形態においては、各画像調整項目として、「拡大」、「縮小」、「明るさ（＋）」、「明るさ（−）」、「鮮やかさ（＋）」及び「鮮やかさ（−）」を適用した場合について述べたが、本発明はこれに限らず、要は、表示部４に画像を表示しておき、当該画像に対して画像処理を施したときに、その表示状態が変化するものであれば、この他種々の画像調整項目を設定するようにしても良い。
【００８４】
【発明の効果】
上述のように本発明によれば、画像表示装置において、第１の入力設定手段を介して画像処理の度合いが所望状態に入力設定されたとき、当該入力設定された画像処理の度合いの変化量が第２の入力設定手段を介して入力設定された画像を更新するために必要な画像処理の度合いの変化量未満である場合には、画像処理手段は、画像処理を施した後の画像を更新して表示しないようにしたことにより、かかる画像処理が施された後の画像と当該画像処理が施される前の画像との視覚的な相違点がほとんどない場合まで更新する無駄を省いて、当該画像処理に要する時間分だけユーザが待つことなくそのまま次の作業に移行することができ、かくして作業効率を格段と向上し得る画像表示装置を実現することができる。
【００８５】
また本発明によれば、画像表示方法において、画像処理の度合いが所望状態に入力設定されたとき、当該入力設定された画像処理の度合いの変化量が、画像を更新するために必要な画像処理の度合いの変化量未満である場合には、画像処理を施した後の画像を更新して表示しないようにしたことにより、かかる画像処理が施された後の画像と当該画像処理が施される前の画像との視覚的な相違点がほとんどない場合まで更新する無駄を省いて、当該画像処理に要する時間分だけユーザが待つことなくそのまま次の作業に移行することができ、かくして作業効率を格段と向上し得る画像表示方法を実現することができる。
【図面の簡単な説明】
【図１】本実施の形態によるプリントシステムの構成を示すブロック図である。
【図２】画像処理設定画面を示す略線的な平面図である。
【図３】ステップ値設定画面を示す略線的な平面図である。
【図４】ステップ値設定処理手順の説明に供するフローチャートである。
【図５】ステップ値設定処理手順の説明に供するフローチャートである。
【図６】画像処理設定処理手順の説明に供するフローチャートである。
【図７】図６に示す拡大処理のサブルーチンの説明に供するフローチャートである。
【図８】図６に示す縮小処理のサブルーチンの説明に供するフローチャートである。
【図９】図６に示す明るさ（＋）処理のサブルーチンの説明に供するフローチャートである。
【図１０】図６に示す明るさ（−）処理のサブルーチンの説明に供するフローチャートである。
【図１１】図６に示す鮮やかさ（＋）処理のサブルーチンの説明に供するフローチャートである。
【図１２】図６に示す鮮やかさ（−）処理のサブルーチンの説明に供するフローチャートである。
【符号の説明】
１……プリントシステム、２……パーソナルコンピュータ、３……プリンタ、４……表示部、６……ＣＰＵ、７……入力部、８……メディア挿入部、９……ＲＡＭ、１０……ＲＯＭ、１２……ハードディスク装置、Ｐ１……画像処理設定画面、Ｐ１Ａ……プレビュー画面、Ｂ１……拡大ボタン、Ｂ２……縮小ボタン、Ｂ３……明るさ（＋）ボタン、Ｂ４……明るさ（−）ボタン、Ｂ５……鮮やかさ（＋）ボタン、Ｂ６……鮮やかさ（−）ボタン、Ｂ７……保存ボタン、Ｂ８……プリントボタン、Ｂ９……設定ボタン、Ｐ２……ステップ値設定画面、Ｐ２Ａ〜Ｐ２Ｆ……調整用画面、ＫＡ〜ＫＦ……アップダウンキー、ＫＸ……ＯＫキー、ＫＹ……キャンセルキー。
【図１】
0004120908.tif 000002
【図２】
0004120908.tif 000003
【図３】
0004120908.tif 000004
【図４】
0004120908.tif 000005
【図５】
0004120908.tif 000006
【図６】
0004120908.tif 000007
【図７】
0004120908.tif 000008
【図８】
0004120908.tif 000009
【図９】
0004120908.tif 000010
【図１０】
0004120908.tif 000011
【図１１】
0004120908.tif 000012
【図１２】
0004120908.tif 000013